(57)【特許請求の範囲】
【請求項１】
錠ケースの前面に設けられたシリンダ錠と、錠ケース内に回動可能に設けられ施錠角度及び解錠角度において扉の係合ロッドを係止及び係止解除するラッチと、錠ケース内で回動可能に設けられ、前記ラッチが施錠角度にあるときに該ラッチの係合段部に施錠段部を係合させる施錠レバーと、錠ケース内に前記施錠レバーと同軸に回動可能に設けられ、ソレノイドにより駆動されて前記施錠レバーを回動する駆動レバーとを備え、前記施錠レバーは、スプリングにより駆動レバーに対して前記ラッチに係合する方向に付勢され、該施錠レバーが該ラッチに係合した施錠状態から、非常解錠が行われるときに、前記シリンダ錠の鍵穴に挿入されたキーが回動されることで、前記施錠レバーを前記スプリングの付勢力に抗して回動されて該施錠レバーの前記施錠段部が前記ラッチの係合段部から離隔されて、該ラッチから前記扉の係合ロッドを係止解除できるようにした錠装置において、
前記シリンダ錠のロータに取り付けられ該ロータと共に回動するカム板と、該ロータの回動軸と直交する軸の回りに回動可能に設けられた回動アームとを備え、
前記回動アームは、前記施錠レバーの前記施錠段部側に当接可能に設けられた当接部と、該回動アームの回動軸から離間する方向に延設されるとともに該回動軸と平行な面をなすカム受板と、該回動アームの回転軸を挟んで前記当接部と反対側に設けられたストッパ当接部とが一体に形成された回動アームであり、
前記カム板は、該カム板の回動時に前記カム受板に摺接して該カム受板を押動する摺接部と、該カム板の回動軸を挟んで該摺接部と反対側に設けられ、前記ストッパ当接部に対向するストッパ部とを一体に形成されたカム板であり、
前記キーの回動により前記シリンダ錠の回動開始位置から所定の初期回動範囲において、前記カム板の前記摺接部が前記カム受板から離間した状態で、かつ、前記ストッパ部が前記回動アームの前記ストッパ当接部に対向した状態とされ、
該初期回動範囲を超えると、該カム板の摺接部が該カム受板を押動するとともに、前記ストッパ部が前記回動アームの前記ストッパ当接部から外れ、該回動アームの前記当接部が前記施錠レバーに当接して該施錠レバーを前記スプリングの付勢力に抗して回動して、前記ラッチによる係合ロッドの係止解除を行うようにしたことを特徴とする錠装置。
【発明の詳細な説明】
【技術分野】
【０００１】
本発明は、ソレノイドにより電気的に施錠及び解錠する錠装置に係わり、詳細にはシリンダ錠をキーで回動することにより非常解錠するようにした錠装置に関する。
【背景技術】
【０００２】
従来、この種の錠装置として、例えば特許第３４４３２１２号公報（特許文献１）に開示されたものがある。この従来の錠装置は、シリンダ錠が錠ケースの前面に設けられ、錠ケース内にはラッチが回動可能に設けられている。このラッチは施錠角度及び解錠角度において、扉に設けられた係合ロッドを係止及び係止解除するよう構成されている。また、錠ケース内には、回動可能な施錠レバーと駆動レバーを備えていおり、駆動レバーはソレノイドにより回動される。施錠レバーは施錠段部を有し、ラッチはこの施錠段部に係合する係合端部を有する。そして、施錠レバーは、駆動レバーをソレノイドで回動することによりこの駆動レバーと共動して回動し、ラッチが施錠角度にあるときにこのラッチの係合段部に施錠段部を係合させることで、錠装置は施錠状態（ロック状態）となる。
【０００３】
また、非常解錠するときは、シリンダ錠をキーで回動し、このシリンダ錠に取り付けられた円柱状のカムが回動することでスライダを移動させ、スライダの先端の駆動突起で施錠レバーを回動し、施錠段部をラッチの係合端部から外してラッチを回動可能にしている。
【特許文献１】特許第３４４３２１２号公報
【発明の開示】
【発明が解決しようとする課題】
【０００４】
しかしながら、従来の錠装置では、非常解錠時に施錠レバーを回動するための機構が、円柱状のカムと、このカムに倣って進退するスライダとにより構成されており、カムやスライダを加工するのにコストがかかるという問題がある。
【０００５】
本発明は、シリンダ錠をキーで回動して施錠レバーとラッチとの係合状態を解除して非常解錠する錠装置において、簡単な構造で施錠レバーを回動できるようにすることを課題とする。
【課題を解決するための手段】
【０００６】
請求項１の錠装置は、錠ケースの前面に設けられたシリンダ錠と、錠ケース内に回動可能に設けられ施錠角度及び解錠角度において扉の係合ロッドを係止及び係止解除するラッチと、錠ケース内で回動可能に設けられ、前記ラッチが施錠角度にあるときに該ラッチの係合段部に施錠段部を係合させる施錠レバーと、錠ケース内に前記施錠レバーと同軸に回動可能に設けられ、ソレノイドにより駆動されて前記施錠レバーを回動する駆動レバーとを備え、前記施錠レバーは、スプリングにより駆動レバーに対して前記ラッチに係合する方向に付勢され、該施錠レバーが該ラッチに係合した施錠状態から、非常解錠が行われるときに、前記シリンダ錠の鍵穴に挿入されたキーが回動されることで、前記施錠レバーを前記スプリングの付勢力に抗して回動されて該施錠レバーの前記施錠段部が前記ラッチの係合段部から離隔されて、該ラッチから前記扉の係合ロッドを係止解除できるようにした錠装置において、前記シリンダ錠のロータに取り付けられ該ロータと共に回動するカム板と、該ロータの回動軸と直交する軸の回りに回動可能に設けられた回動アームとを備え、前記回動アームは、前記施錠レバーの前記施錠段部側に当接可能に設けられた当接部と、該回動アームの回動軸から離間する方向に延設されるとともに該回動軸と平行な面をなすカム受板と、該回動アームの回転軸を挟んで前記当接部と反対側に設けられたストッパ当接部とが一体に形成された回動アームであり、前記カム板は、該カム板の回動時に前記カム受板に摺接して該カム受板を押動する摺接部と、該カム板の回動軸を挟んで該摺接部と反対側に設けられ、前記ストッパ当接部に対向するストッパ部とを一体に形成されたカム板であり、前記キーの回動により前記シリンダ錠の回動開始位置から所定の初期回動範囲において、前記カム板の前記摺接部が前記カム受板から離間した状態で、かつ、前記ストッパ部が前記回動アームの前記ストッパ当接部に対向した状態とされ、該初期回動範囲を超えると、該カム板の摺接部が該カム受板を押動するとともに、前記ストッパ部が前記回動アームの前記ストッパ当接部から外れ、該回動アームの前記当接部が前記施錠レバーに当接して該施錠レバーを前記スプリングの付勢力に抗して回動して、前記ラッチによる係合ロッドの係止解除を行うようにしたことを特徴とする。
【０００７】
請求項１の錠装置において、シリンダ錠を回動すると、そのロータに取り付けられたカム板が回動し、カム板の摺接部が回動アームのカム受板を押動して回動アームが回動する。そして、回動アームの当接部が施錠レバーの施錠段部側に当接して、この施錠レバーが回動され、錠装置が解錠される。このとき、シリンダ錠の回動開始位置から所定の初期回動範囲において、カム板の摺接部はカム受板から離間した状態であり、かつ、ストッパ部が回動アームのストッパ当接部に対向した状態とされるので、この初期回動範囲においては、回動アームが回動しない。そして、初期回動範囲を超えると、回動アームが回動される。
【発明の効果】
【０００８】
請求項１の錠装置によれば、施錠レバーを回動するための機構が、カム板と回動アームとで構成され、カム板は回動アーム側に突出するストッパを備えるとともに、回動アームはカム受板、当接部及びストッパ当接部を備える構成となっている。したがって、これらのカム板と回動アームは例えば板金のプレス部品として構成することができるので、簡単な構造にすることができる。
【発明を実施するための最良の形態】
【０００９】
次に、本発明の実施の形態の具体例について図面を参照して説明する。図１(A) は実施形態の錠装置の側面図、図１(B) は同錠装置の上面図、図２(A) は同錠装置の施錠状態を示す施錠部の側面図、図２(B) は同錠装置の非常解錠状態を示す施錠部の側面図、である。なお、この実施形態の錠装置は貸しロッカー装置に用いるものであるが、他の装置にも適用できる。
【００１０】
この錠装置は、金属製の基板１と、合成樹脂材より型成形さる中央ケース２と、金属製の支持板３とにより錠ケースが構成される。基板１と中央ケース２には支軸１１Ａと１１Ｂ固定され、この支軸１１Ａに施錠レバー１２と駆動レバー１３とが同軸に回動自在に枢着されている。また、支軸１１Ｂにはラッチ１４が枢着されている。基板１と中央ケース２の側面には、図示しないロッカ扉に設けられたＵ字形状の係合ロッドＲ（図２参照）の挿入を妨げない凹部１ａ，２ａが形成される。
【００１１】
基板１の後部には、ソレノイド４が取り付けられ、このソレノイド４のプランジャ４ａの先端にピン４ｂが設けられ、このピン４ｂは駆動レバー１３の係合切欠き１３ａに係合され、プランジャ４ａと駆動レバー１３の一端が連結されている。これにより、ソレノイド４が駆動されると、駆動レバー１３が支軸１１Ａを軸として回動される。
【００１２】
施錠レバー１２はその下端部が支軸１１Ａに枢着され、この施錠レバー１２は、左側面より起立する被駆動壁１２ａ（図２参照）と上端部より屈曲して起立する被駆動突起１２ｂとを有し、被駆動壁１２ａの上端に施錠段部１２ｃが形成されている。また、支軸１１Ａに巻回されるスプリング５の一端５ａが駆動レバー１３に係止され、他端５ｂが施錠レバー１２に係止されている。したがって、施錠レバー１２は、支軸１１Ａを支点として駆動レバー１３に対して図２及び図１において反時計方向に付勢される。図２ に示すように、駆動レバー１３は、前記係合切欠き１３ａと反対側の一部に駆動突起１３ｂを有し、この駆動突起１３ｂは施錠レバー１２の被駆動壁１２ａに当接可能となっている。
【００１３】
ラッチ１４は外周面に開口する係合切欠１４ａと、外周面に形成される係合段部１４ｂとを有する。そして、ラッチ１４の小孔１４ｃにスプリング６の一端６ａが係止され、スプリング６の他端６ｂが基板１に設けられた小孔１ｂに係止されている。したがって、ラッチ１４は図２(A) の施錠位置と図２(B) の解錠位置に付勢され、施錠位置では係合切欠１４ａの開口が凹部１ａ，２ａに位置する角度に安定する。
【００１４】
図１に示すように、支持板３には、図１において左端より直角に屈曲するシリンダ錠固定壁３１が設けられており、このシリンダ錠固定壁３１には、シリンダ錠７と表示ランプ１０を内蔵したシリンダ錠ケース２０が固着されており、シリンダ錠７のロータ７ａには、カム板１５が取り付けられている。これにより、カム板１５はロータ７ａと共に回動する。カム板１５の下端は摺接部１５ａとされるとともに、このカム板１５の上端すなわち回動軸（ロータ７ａの軸）を挟んで摺接部１５ａと反対側には、該回動軸と平行に延設されたストッパ部１５ｂを有している。そして、これらの各部位及びカム板１５は板金のプレスにより一体に形成されている。
【００１５】
また、基板１の上部には固定座２１が固着されている。この固定座２１には、シリンダ錠７のロータ７ａの回動軸の後方延長上に支軸１１Ｃが固定されており、この支軸１１Ｃはロータ７の回動軸（すなわちカム板１５の回動軸）と直交する方向に配置されている。支軸１１Ｃには、回動アーム１６が回動自在に枢着されている。また、支軸１１Ｃに巻回されるたスプリング８の一端が固定座２１の突片２１ａに係止され、図示しない他端が回動アーム１６に係止されており、回動アーム１６は支軸１１Ｃを支点として図１(B) において時計回り方向に付勢される。
【００１６】
この回動アーム１６は、施錠レバー１２の被駆動突起１２ｂに当接可能に設けられた当接部１６ａと、支軸１１Ｃ（回動軸）から離間する方向に延設されたカム受板１６ｂと、支軸１１Ｃを挟んで当接部１６ａと反対側に設けられたストッパ当接部１６ｃとを有している。そして、これらの各部位及び回動アーム１６は板金のプレスにより一体に形成されている。なお、当接部１６ａは施錠レバー１２の被駆動突起１２ｂに当接可能ということは、施錠レバー１２の施錠段部１２ｃ側に当接可能ということである。
【００１７】
図３はカム板と回動アームの作用を説明する図であり、図２〜図３を参照して、実施形態の錠装置の作用を説明する。非常解錠操作を行わない通常状態では、シリンダ錠７が施錠状態でロータ７ａは施錠角度になっており、カム板１５が図３(A1)、図３(A2)及び図１に示す位置にある。
【００１８】
錠装置が施錠されているときには、ソレノイド４のプランジャ４ａが没入側に移動しており、駆動レバー１３は支軸１１Ａを支点として反時計方向に回動し、施錠レバー１２は、駆動レバー１３の駆動突起１３ｂに当接した状態で、施錠段部１２ｃがラッチ１４の係合段部１４ｂに係合している。したがって、ラッチ４は係合ロッドＲを係合切欠１４ａ内に係合したまま回動できない状態で、施錠角度に拘束されている。（図２(A) 参照）。
【００１９】
この施錠状態から制御部等の制御により解錠されるときは、ソレノイド４のプランジャ４ａが突出方向に移動し、駆動レバー１３が支軸１１Ａを支点として時計回り方向に回動し、図２(B) に一点鎖線で示した位置となる。この駆動レバー１３の回動により、駆動レバー１３の駆動突起１３ｂが施錠レバー１２の被駆動壁１２ａを押動し、施錠レバー１２が時計回り方向に回動して施錠段部１２ｃとラッチ１４の係合段部１４ｂとの係合が解除される（図２(B) 参照）。係合を解除されたラッチ１４は回動可能になり、人が手で扉を開放すると、ラッチ１４はスプリング６の付勢力により支軸１１Ｂを支点として時計回り方向に回動し、係合切欠１４ａのから係合ロッドＲが外され、扉を開くことができる。
【００２０】
次に、停電あるいは何らかの電気系統の故障により解錠不能となったときには、管理人等が所有するキーをシリンダ錠７に挿入して非常解錠を行う。シリンダ錠７が回動されると、カム板１５は、図３(A1)及び図３(A2) の位置から、図３(B1)及び図３(B2) の位置を経て図３(C1)及び図３(C2) の位置に回動する。この図３(A1)及び図３(A2) の位置から図３(B1)及び図３(B2) の位置までの回動範囲が「初期回動範囲」である。
【００２１】
そして、この初期回動範囲内においては、カム板１５の摺接部１５ａは回動アーム１６のカム受板１６ｂから離間した状態でにある。また、カム板１５のストッパ部１５ｂは回動アーム１６のストッパ当接部１６ｃに対向した状態となっている（図３(A2)参照）。そして、この初期回動範囲の終端において、図３(B1)及び図３(B2)に示すように、カム板１５の摺接部１５ａが回動アーム１６のカム受け板１６ｂに当接するとともに、ストッパ部１５ｂがストッパ当接部１６ｃの位置から外れる。その後、摺接部１５ａがカム受け板１６ｂを押動して、回動アーム１６は支軸１１Ｃを支点として回動し、図３(C1)に示すように、回動アーム１６の当接部１６ａが施錠レバー１２の被駆動突起１２ｂに当接しながら該被駆動突起１２ｂを押し、施錠レバー１２が回動して図２(B) の位置になる。したがって、前記ソレノイド４により解錠されたときと同様に、ラッチ１４が回動可能になり、錠装置が解錠（非常解錠）される。
【００２２】
なお、初期回動範囲内においては、カム板１５のストッパ部１５ｂが回動アーム１６のストッパ当接部１６ｃに対向した状態となっているので、施錠状態では回動アーム１６は回動しないので、施錠状態を確実に保持することができる。
【図面の簡単な説明】
【００２３】
【図１】本発明の実施形態の錠装置の側面図及び上面図である。
【図２】実施形態の錠装置の施錠状態及び非常解錠状態を示す施錠部の側面図である。
【図３】実施形態の錠装置におけるカム板と回動アームの作用を説明する図である。
【符号の説明】
【００２４】
４      ソレノイド
７      シリンダ錠
１２    施錠レバー
１３    駆動レバー
１４    ラッチ
１５    カム板
１５ａ  摺接部
１５ｂ  ストッパ部
１６    回動アーム
１６ａ  当接部
１６ｂ  カム受板
１６ｃ  ストッパ当接部
【図１】
0005260046.tif 000002
【図２】
0005260046.tif 000003
【図３】
0005260046.tif 000004